(57)【要約】【課題】袋容器と、スパウトとを取り付ける際に、機械の保持手がスパウトと、袋容器とを強固に挟持することにより、袋容器が脱落したり、スパウトと、袋容器との取付け位置がずれることがないスパウトを提供することである。【解決手段】中空の円筒形状を有する筒部と、筒部の下方に連設されたフランジ部と、フランジ部の下方に連設された接合部と、接合部の下方に連設部を介して連設された脚部材とを、合成樹脂で一体に成形するスパウトにおいて、１の前記連結部がさらに２本に分岐し、この分岐の１本が、他の連結部の分岐の１本と合流してなる脚部材を有することを特徴とする。【選択図】図１
2007153427.tif 000002
【特許請求の範囲】
【請求項１】
中空の円筒形状を有する筒部と、筒部の下方に連設されたフランジ部と、フランジ部の下方に連設された接合部と、接合部の下方に連設部を介して連設された脚部材とを、合成樹脂で一体に成形するスパウトにおいて、１の前記連結部がさらに２本に分岐し、この分岐の１本が、他の連結部の分岐の１本と合流してなる脚部材を有することを特徴とするスパウト。
【請求項２】
前記スパウトは、２つの連結部を有し、この連結部の１の連結部がさらに２本に分岐し、この分岐の１本と、他の連結部の分岐の１本と、が合流してなる１の脚部材を２本有することを特徴とする請求項１に記載のスパウト。
【請求項３】
前記スパウトの側面視において、前記連結部から前記脚部材にかけて、Ｙ形状を有することを特徴とする請求項１乃至２に記載のスパウト。
【請求項４】
前記脚部材の側面に、外方へと羽根状部材を形成することにより、前記スパウトの下面視において、前記脚部材と、前記羽根部材とが、凸形状を有することを特徴とする請求項１乃至２に記載のスパウト。
【発明の詳細な説明】
【技術分野】
【０００１】
本発明は、中空の円筒形状を有する筒部と、筒部の下方に連設されたフランジ部と、フランジ部の下方に連設された接合部と、接合部の下方に連設部を介して連設された保持部とを、合成樹脂で一体に成形するスパウトに関する。
【背景技術】
【０００２】
従来、自立性袋、ガゼット型袋等の種々の形態からなるプラスチック性軟包装用袋容器が開発され、例えば、ジュース類、果汁類、ゼリー状飲料、栄養ドリンク剤等の飲料品や、調味料、その他種々の飲食品を充填包装した袋容器が販売されている。
特に近年、これらの袋容器は、その開封を容易にし、かつ内容物の飲料を容易に、あるいは、内容物を注ぎやすくするために、袋容器の上部にスパウトを取り付けてなるスパウト付き袋容器が提案されている。
そして、このスパウトは、内容物の吸飲時に袋容器が閉塞することを防止するための部材（脚部材）と、注出口の口部とを連結する部材（連結部材）との間に形成された隙間（開口部）より、袋容器内へと内容物を充填する（例えば特許文献１）。
【０００３】
【特許文献１】特開平１０−１２００００号公報
【発明の開示】
【発明が解決しようとする課題】
【０００４】
しかし、スパウト付き袋容器に内容物を充填する場合、内容物を前記連結部材の隙間である開口部から袋容器内へと流し込む、あるいは、吸飲時においては、前記開口部からスパウトの筒部へと流れ込むが、従来のスパウト１１は、図１３に示すように、構造上、接合部１２から下方へ４本の連結部材１３を介して脚部材１４が形成されており、前記４本の連結部材１３の隙間である開口部Ｅ'が小さく形成されているため、一定大以上の固形物を充填することができない。
【０００５】
特に、固形物などが液体と混ざった内容物を扱う場合、吸飲時においては、固形物が開口部Ｅ'に引っ掛かり、開口部Ｅ'を塞いでしまう、また、内容物の充填時においては、固形物が開口部Ｅ'に引っ掛かり、充填できない、などの問題があった。
そこで、図１４に示すように、連結部１３を２本とすることにより開口部Ｅ'を大きく形成することが考えられるが、充填時、固形物が脚部材１４に引っ掛かり、開口部Ｅ'が詰まる、また、脚部材１４の上部１５に固形物がぶつかり、固形物が砕けてしまうなどの問題があった。
【０００６】
そこで、本発明の課題は、固形物を含む内容物を包装するスパウト付き袋容器に内容物を充填する際、または、内容物を吸飲する際に、内容物のつまりがなく、スムースに充填、吸飲可能であり、内容物の充填スピードを高めて生産効率を向上させると共に、袋容器と、スパウトとを取り付ける際に、機械の保持手がスパウトと、袋容器とを強固に挟持することにより、袋容器が脱落したり、スパウトと、袋容器との取付け位置がずれることがないスパウトを提供することである。
【課題を解決するための手段】
【０００７】
そこで、上記課題を解決すべく、本発明のスパウトは、中空の円筒形状を有する筒部と、筒部の下方に連設されたフランジ部と、フランジ部の下方に連設された接合部と、接合部の下方に連設部を介して連設された脚部材とを、合成樹脂で一体に成形するスパウトにおいて、１の前記連結部がさらに２本に分岐し、この分岐の１本が、他の連結部の分岐の１本と合流してなる脚部材を有することを特徴とするスパウトである。
【０００８】
また、前記スパウトは、２つの連結部を有し、この連結部の１の連結部がさらに２本に分岐し、この分岐の１本と、他の連結部の分岐の１本と、が合流してなる１の脚部材を２本有することを特徴とするスパウトである。
【０００９】
また、前記スパウトの側面視において、前記連結部から前記脚部材にかけて、Ｙ形状を有することを特徴とするスパウトである。
【００１０】
また、前記脚部材の側面に、外方へと羽根状部材を形成することにより、前記スパウトの下面視において、前記脚部材と、前記羽根部材とが、凸形状を有することを特徴とするスパウトである。
【発明の効果】
【００１１】
本発明のスパウトは、中空の円筒形状を有する筒部と、筒部の下方に連設されたフランジ部と、フランジ部の下方に連設された接合部と、接合部の下方に連設部を介して連設された脚部材とを、合成樹脂で一体に成形するスパウトにおいて、１の前記連結部がさらに２本に分岐し、この分岐の１本が、他の連結部の分岐の１本と合流してなる脚部材を有することを特徴とする。よって、開口部を大きく形成でき、固形物を含んだ内容物を充填可能であると共に充填スピードを高めることが可能である。
【００１２】
さらには、袋容器とスパウトとを取り付ける際に、スパウトの下面視においてスパウトの脚部材と、羽根部材とにより形成される、凸形状を有するエッジに、機械の保持手のエッジが入り込んでスパウトを強固に挟持可能である。よって、スパウトと、袋容器とを搬送する際に、スパウトの取付け位置がずれてしまうようなことがない。よって、搬送スピードと、充填スピードとを同時に高め、生産性を向上させることができる。
【００１３】
また、スパウトの側面視において、スパウトの連結部から脚部材にかけてＹ形状を有するため、このＹ形状の斜面が、機械の保持手の斜面に、面接触で載ることにより、機械の保持手が、安定してスパウトと、袋容器とを挟持することが可能であるとともに、スパウト１の下方向への力に対して保持強度が高い。よって、搬送スピードと、充填スピードとを同時に高め、生産性を向上させることができる。
【発明を実施するための最良の形態】
【００１４】
本発明にかかるスパウト１は、図１に示すように、図示しないキャップを螺着する円筒形状からなる筒部２と、筒部２の下方から連続して形成された３つのフランジ（３ａ、３ｂ、３ｃ）と、フランジ（３ｃ）の下方から連続して形成された、円筒状の筒体と、この筒体の左右両側面に形成された接合部羽根１２と、を有する接合部４と、この接合部４から下方へと２本の連結部（５、６）を介して接続された、２本の脚部材（α、β）とからなる。
特に、前記連結部（５、６）は、それぞれ、斜め下方へ向かってさらに２本に枝分れした、分岐（ａ、ｂ）（Ａ、Ｂ）を有しており、これらの分岐（ａ、ｂ）（Ａ、Ｂ）がそれぞれ合流し、分岐ａと、分岐Ａとからなる脚部材αと、分岐ｂと、分岐Ｂとからなる脚部材βを有する。
【００１５】
これらの脚部材（α、β）の側面には、羽根状の羽根部材７が外方へ向かって形成されており、脚部材（α、β）の底面視は凸形状となっている。この凸形状により、後述する、スパウトと、袋容器とを、機械の保持手Ｇにより強固に挟持可能である。
また、図２に示すように、スパウト１の下面視において、前記脚部材（α、β）と、前記羽根部材７とにより形成される凸形状が、前記接合部４の筒体と、前記接合部羽根１２と、の断面形状より、内方に形成されており、よって、スパウト１を袋容器３に挿入する際、脚部材（α、β）と、羽根部材７とが袋容器Ｐに引っ掛かることなく、スムースに挿入可能である。
【００１６】
スパウト１は、詳しくは図３（ａ）（ｂ）に示すように、筒部２から接合部４にかけて、筒部２の内径と同径の流入路Ｑが形成されており、内容物は、筒部２の先端より流入路Ｑを通り、連結部（５、６）と、分岐（ａ、ｂ）（Ａ，Ｂ）と、脚部材（α、β）と、の間に形成された３方向の隙間（開口部Ｅ）より袋容器Ｐ内へと導かれる。よって、内容物が固形物を含む液体の場合、袋容器Ｐに充填可能な固形物の大きさは、流入路Ｑと、開口部Ｅとの大きさで一意的に決まる。
例えば、開口部Ｅの開口が、流入路Ｑの断面より、小さければ、内容物に含まれる固形物の大きさは、開口部Ｅより小さくする必要があり、通過可能な固形物の大きさは、開口部Ｅの形状に依存することとなる。
【００１７】
従来のスパウト１１は、図４に示すように、スパウト１１の接合部１２の下方から、４本の連結部１３を介して形成された、断面十字形状を有する脚部材１４と、前記４本の連結部１３と、の隙間からなる開口部Ｅ'から、袋容器内へと内容物を充填していた。このようなスパウト１１では、開口部Ｅ'が縦長形状で小さいため、液体は通過しても、固形物は通りにくく、内容物が固形物を含む場合には不向きであった。
また、開口部Ｅ'を大きく形成するために、図１４に示すように、仮に連結部１３を２本欠如すると、連結部１３の強度が低下してしまうという問題や、仮に強度を保てたとしても、充填の際、固形物が脚部材１４の上部１５にぶつかって固形物が砕けてしまうといった問題がある。
【００１８】
このため、本発明においては、図５に示すように、２本の連結部（５、６）が、それぞれ、斜め下方へ向かって、さらに２本に枝分れした、計４本の分岐（Ａ、Ｂ）（ａ、ｂ）を形成し、連結部５の分岐Ａと、連結部６の分岐ａと、がそれぞれ合流して、脚部材（α）を形成し、他方、連結部５の分岐Ｂと、連結部６の分岐ｂと、がそれぞれ合流して、脚部材（β）を形成する構成により、連結部（５、６）を２本とした場合においても連結部（５、６）の強度を保ちつつ、さらに、開口部Ｅを大きく形成することが可能である。
よって、固形物が前記流入路Ｑを通過可能であれば、固形物を含む内容物の充填、吸飲が可能である。また、流入路Ｑと、開口部Ｅとが、一直線に貫通しているため内容物の充填スピードを高めることが可能である。また、消費者が筒部２から内容物を吸飲する際、内容物は、袋容器内から大きな開口部Ｅを介してスムースに前記流入路Ｑを通って筒部２へと導かれる。
【００１９】
次に、袋容器Ｐについて説明すると、かかる袋容器Ｐとして、種々の形態からなるプラスチック性軟包装用袋を使用することができ、その一例を示すと、図６に示すように、一枚のシートを内側に折り込んでなる２つの左右面（ｃ、ｄ）と、１枚のシートからなる、前面ａおよび底面の一部ｅと、一枚のシートからなる、背面ｂおよび底面の一部ｆとの、それぞれの接合部ｈをヒートシールしてガゼット型の袋容器Ｐを形成する。
そして、袋上部１０よりスパウト１を挿入した後、スパウト１の接合部４と、袋上部１０の接合部ｈと、をヒートシールすることによりスパウト付き袋容器Ｓを形成する。
【００２０】
このスパウト付き袋容器Ｓに、内容物を充填し、次いで、筒部２に、キャップ２０を螺着し密閉することによって、図７に示すような、本発明のスパウト１を備えた包装製品を製造するものである。
なお、図８に示すように、スパウト付き袋容器Ｓの筒部２にＰシールを取り付け、キャップ２０を螺着することにより、密閉性良好でレトルト対応可能な包装製品にも適用可能である。
【００２１】
特に、スパウト付き袋容器Ｓは、スパウト１と、袋容器Ｐとの接合部４を、ヒートシールして接合する際、スパウトと、袋容器Ｐとを、図９に示すように、機械の保持手Ｇにより保持し、図示しないヒートシール部へと搬送する。そして、ヒートシール部において、袋容器Ｐと、スパウト１とをヒートシールする。
よって、この間、機械の保持手Ｇは、袋容器Ｐと、スパウト１との両方を挟持することとなるが、このとき、スパウト１の、機械の保持手Ｇにより挟持する面が、円筒状であると、機械の保持手Ｇがスパウト１を挟持する際、機械の保持手Ｇの挟持面と、スパウト１の円筒とが、線接触となり、挟持が不安定になってしまう。そして、スパウト付き袋容器Ｓが機械の保持手Ｇから脱落してしまう、或いは、スパウト１と、袋容器Ｐとの接合位置がずれてしまうという問題がある。よって、ヒートシールするまでの間、スパウト１と、袋容器Ｐとを、機械の保持手Ｇにより強固に保持する必要がある。
【００２２】
このため、本発明のスパウト１は、図１０（ａ）（ｂ）に示すように、脚部材（α、β）と、それぞれの脚部材（α、β）の側面に形成された羽根部材７とが、スパウト１の側面視において、Ｙ形状を有することにより、搬送時、機械の保持手Ｇによりスパウト１と袋容器Ｐとを安定して強固に挟持することができる。
【００２３】
詳しくは、図１１に示すように、スパウト１の、連結部（５、６）と、脚部材（α、β）とが、それぞれスパウト側面視において、Ｙ形状を有するため、このＹ形状の斜面が、機械の保持手Ｇの斜面に、面接触で載ることにより、機械の保持手Ｇが、安定してスパウト１と、袋容器Ｐとを挟持することが可能であり、特に、スパウト１と、袋容器Ｐとを上方向へ搬送する際に生じる下方向への力に対して保持強度が高い。
【００２４】
さらには、スパウト１の底面視において、脚部材（α、β）と、それぞれの脚部材（α、β）の側面に形成された羽根部材７とが、凸形状を有する構造により、スパウトと、袋容器Ｐとを搬送する際、機械の保持手Ｇが、この凸形状に入り込み、スパウト１と袋容器Ｐとを強固に挟持することができる。
【００２５】
詳しくは、図１２に示すように、機械の保持手Ｇが、脚部材（α、β）と、それぞれの脚部材（α、β）の側面に形成された羽根部材７とにより形成される、凸形状のエッジ部分と、機械の保持手Ｇのエッジ部分と、が面接触となり、スパウト１と、袋容器Ｐとを、強固に挟持可能となる。また、スパウト１と、袋容器Ｐとを水平方向へ搬送する際に生じる横方向の力に対する保持耐力が高く、スパウト１が横方向にずれにくい効果がある。
【００２６】
よって、スパウト１に作用する下方向および横方向の力に対して、機械の保持手Ｇによる保持耐力が高く、スパウト１と、袋容器Ｐとを挟持して搬送した場合であっても、強固に挟持可能であり、袋容器Ｐがスパウト１から脱落してしまうようなことがなく、スパウト１と、袋容器Ｐとを搬送スピードを高めて搬送可能である。
【００２７】
このように、本発明のスパウト１は、１の連結部が下方へ向かってさらに２本に分岐し、この連結部の分岐の１本が、他の連結部の分岐の１本と合流してなる脚部材を、２本有することにより、開口部Ｅを大きく形成することが可能である。よって、固形物を含む内容物を、スムースに袋容器Ｐ内に充填することが可能であるとともに、流入路Ｑと、開口部Ｅとの内径が同径かつ一直線に貫通しているため、内容物の充填スピードを高め生産性を向上可能である。
【００２８】
さらには、スパウト１の側面視において、前記連結部（５、６）と、前記脚部材（α、β）とがＹ形状を有し、また、前記脚部材（α、β）と、脚部材（α、β）に形成された羽根部材７とが、スパウト１の底面視において、凸形状を有するため、スパウト１と袋容器Ｐとを強固に保持可能である。よって、スパウト１と、袋容器Ｐとをヒートシールする際、若しくは、スパウト１と袋容器Ｐとを機械の保持手Ｇにより保持し、ヒートシール部へと搬送する際に、スパウト１と、袋容器Ｐとの接合位置がずれることなく、また、スパウト１が袋容器Ｐから脱落してしまうようなことがない。
【図面の簡単な説明】
【００２９】
【図１】本発明のスパウトを示す斜視図である。
【図２】本発明のスパウトを示す下面図である。
【図３】本発明のスパウトを示す（ａ）正面図および（ｂ）断面図である。
【図４】従来のスパウトの開口部を示す斜視図である。
【図５】本発明のスパウトの開口部を示す斜視図である。
【図６】袋容器とスパウトとを示す斜視図である。
【図７】スパウト付き袋容器とキャップとを示す斜視図である。
【図８】スパウト付き袋容器とキャップとＰシールとを示す斜視図である。
【図９】製造工程において、スパウトと、袋容器とを、機械の保持手により挟持し搬送する様子を示す斜視図である。
【図１０】本発明のスパウトを示す（ａ）正面図および（ｂ）側面図である。
【図１１】本発明のスパウトと、袋容器とを、機械の保持手により挟持する様子を示す側面図である。
【図１２】本発明のスパウトと、袋容器とを、機械の保持手により挟持する様子を示す下面図である。
【図１３】従来のスパウトを示す斜視図である。
【図１４】従来のスパウトを示す斜視図である。
【符号の説明】
【００３０】
１  スパウト
２  筒部
３ａ、３ｂ、３ｃ  フランジ
４  接合部
５、６  連結部
７  羽根部材
１０  袋上部
１２  接合部羽根
２０  キャップ
ａ、ｂ、Ａ、Ｂ  分岐
α、β  脚部材
Ｓ  注出口付き袋容器
Ｑ  流入路
Ｐ  袋容器
Ｅ  開口部
Ｆ  Ｐシール
Ｇ  保持手
ａ  前面
ｂ  背面
ｃ  側面
ｄ  側面
ｅ  底面
ｆ  底面
ｈ  接合部
【図１】
2007153427.tif 000003
【図２】
2007153427.tif 000004
【図３】
2007153427.tif 000005
【図４】
2007153427.tif 000006
【図５】
2007153427.tif 000007
【図６】
2007153427.tif 000008
【図７】
2007153427.tif 000009
【図８】
2007153427.tif 000010
【図９】
2007153427.tif 000011
【図１０】
2007153427.tif 000012
【図１１】
2007153427.tif 000013
【図１２】
2007153427.tif 000014
【図１３】
2007153427.tif 000015
【図１４】
2007153427.tif 000016